(57)【要約】【課題】色データの変換速度を向上しつつ、記憶容量を削減できる色変換回路、画像処理回路、および、電気光学装置を提供すること。【解決手段】色変換回路６０は、ＲＧＢデータからなる被変換データを、ＲＧＢＣデータからなる目的色データに変換する。この色変換回路６０は、ＲＧＢ色空間を８つの立方体に分割して、これら８つの立方体の中から被変換色データが属する特定立方体を判定し、特定立方体を構成する８つの頂点に対応する頂点色データを出力する３次元ＬＵＴ部６１と、被変換色データに基づいて、モード信号および係数信号を出力するモード判定・係数演算部６３と、モード信号に基づいて、特定立方体を構成する６つの四面体の中から被変換色データが属する特定四面体を判定するデータセレクタ部６２と、特定四面体を構成する４つの頂点に対応する色データおよび係数信号を用いて、目的色データを生成する積和演算部６４と、を備える。【選択図】図２
2007134854.tif 000002
【特許請求の範囲】
【請求項１】
３種類の第１色データからなる被変換色データを、当該被変換色データとは種類が異なり、第２色データからなる目的色データに変換する色変換回路であって、
前記３種類の色からなる色空間を想定し、当該色空間を８つの立方体に分割して、当該８つの立方体の中から前記被変換色データが属する特定立方体を判定し、前記特定立方体を構成する８つの頂点の前記被変換色データに対応する頂点色データを出力する３次元変換テーブルと、
前記被変換色データのうち、３種類の被変換色データの各々における下位ビットに基づいて、モード信号および係数信号を出力するモード判定部と、
前記３次元変換テーブルから出力された前記頂点色データと前記モード判定部から出力された前記モード信号が入力され、前記モード信号に基づいて、前記特定立方体を構成する８つの頂点のうち４つを頂点とする６つの四面体の中から前記被変換色データが属する特定四面体を判定し、当該特定四面体を構成する４つの頂点のうち、前記頂点色データを除いた２つの頂点に対応する色データを出力するデータセレクタ部と、
前記頂点色データ、前記頂点色データを除いた２つの頂点に対応する色データ、および前記係数信号を用いて補間演算を行い、前記被変換色データを前記目的色データに変換する積和演算部と、を備えることを特徴とする色変換回路。
【請求項２】
前記３次元変換テーブルは、
入力されるアドレス信号に基づいて、イネーブル信号を生成して出力するデコーダ部と、
前記立方体を構成し、前記イネーブル信号に基づいて、前記８つの立方体を構成する２７個の頂点の第１色データからなる第１頂点色データに対応する第２色データからなる第２頂点色データを記憶するメモリブロック部と、
前記被変換色データの各成分の上位ビットに基づいて前記被変換色データが属する特定立方体を判定する選択ブロック部と、を有することを特徴とする請求項１に記載の色変換回路。
【請求項３】
３種類の第１色データからなる被変換色データを、当該被変換色データとは種類が異なり、第２色データからなる目的色データに変換する色変換回路であって、
前記３種類の色からなる色空間を想定し、当該色空間を８つの立方体に分割して、当該８つの立方体を構成する２７個の頂点に対応する頂点色データを出力する３次元変換テーブルと、
前記被変換色データのうち、３種類の被変換色データの各々における下位ビットに基づいて、モード信号および係数信号を出力するモード判定部と、
前記３次元テーブルから出力された前記頂点色データと前記モード判定部から出力された前記モード信号が入力され、前記８つの立方体の中から前記被変換色データが属する特定立方体を判定し、前記モード信号に基づいて、前記特定立方体を構成する８つの頂点のうち４つを頂点とする６つの四面体の中から前記被変換色データが属する特定四面体を判定し、当該特定四面体を構成する４つの頂点に対応する色データを出力するデータセレクタ部と、
前記４つの頂点に対応する色データおよび前記係数信号を用いて補間演算を行い、前記被変換色データを前記目的色データに変換する積和演算部と、を備えることを特徴とする色変換回路。
【請求項４】
前記３次元変換テーブルは、
入力されるアドレス信号に基づいて、イネーブル信号を生成して出力するデコーダ部と、
前記立方体を構成し前記イネーブル信号に基づいて、前記８つの立方体を構成する２７個の頂点の第１色データからなる第１頂点色データに対応する第２色データからなる第２頂点色データを記憶するメモリブロック部と、を有することを特徴とする請求項３に記載の色変換回路。
【請求項５】
ガンマ変換が行われた３種類のデータからなる色データが入力されるとともに当該色データを線形な被変換色データに戻す逆ガンマ変換を行って出力する逆ガンマ変換回路と、
前記逆ガンマ変換回路の被変換色データが入力されるとともに請求項１乃至４に記載の前記目的色データに変換して出力する色変換回路と、
前記色変換回路から出力された前記目的色データを電気光学装置の特性に基づいてガンマ変換を行うガンマ変換回路と、を有することを特徴とする画像処理回路。
【請求項６】
請求項５に記載の画像処理回路を備えたことを特徴とする電気光学装置。
【発明の詳細な説明】
【技術分野】
【０００１】
本発明は、３種類のデータからなる被変換色データを、この被変換色データとは種類が異なる目的色データに変換する色変換回路、画像処理装置、および、電気光学装置に関する。
【背景技術】
【０００２】
従来より、色の表現方法は、機器に応じて異なっている。例えば、液晶装置では、色を表現するのに、赤（Ｒ），緑（Ｇ），青（Ｂ）の３種類の色データからなるＲＧＢデータや、このＲＧＢデータにシアン（Ｃ）の色データを加えて色再現性を向上したＲＧＢＣデータが用いられている。また、カラー印刷装置では、シアン（Ｃ），マゼンダ（Ｍ），黄（Ｙ）の３種類の色データからなるＣＭＹデータが用いられている。
【０００３】
上述の液晶装置やカラー印刷装置には、例えば、３種類の第１色データであるＲＧＢデータが供給されるため、ＲＧＢデータを第２色データであるＲＧＢＣデータやＣＭＹデータに変換するための色変換回路が搭載されている。
【０００４】
この色変換回路は、第１色データに対応する第２色データが示されたルックアップテーブル（以下、ＬＵＴと表記する）を記憶する記憶装置を備えており、この記憶装置に記憶されたＬＵＴを参照することで、供給された第１色データを第２色データに変換して出力する（例えば、特許文献１参照）。
【０００５】
具体的には、記憶装置において、ＲＧＢデータからなる被変換色データＤｉｎ（Ｒ，Ｇ，Ｂ）に基づいて算出されるアドレスには、この被変換色データＤｉｎ（Ｒ，Ｇ，Ｂ）に対応しかつＲＧＢＣデータからなる目的色データＤｏｕｔ（Ｒ，Ｇ，Ｂ，Ｃ）が格納されている。
【０００６】
ここで、例えば、上述の被変換色データＤｉｎ（Ｒ，Ｇ，Ｂ）は、ＲＧＢ各８ビットのデータとし、上述の目的色データＤｏｕｔ（Ｒ，Ｇ，Ｂ，Ｃ）は、ＲＧＢＣ各８ビットのデータとする。
すると、色変換回路は、２４ビットの被変換色データＤｉｎ（Ｒ，Ｇ，Ｂ）を、３２ビット（４バイト）の目的色データＤｏｕｔ（Ｒ，Ｇ，Ｂ，Ｃ）に変換することになる。このため、この色変換回路には、およそ６７Ｍバイト（＝４バイト×２２４）の記憶容量を有する記憶装置が必要になるので、回路規模が大きくなるという課題があった。
【０００７】
そこで、この問題を解決するため、特許文献１に記載の色変換回路では、例えば、目的色データＤｏｕｔ（Ｒ，Ｇ，Ｂ，Ｃ）のＬＵＴの数を減らすことで、データ量を削減して、記憶装置の容量を抑える方法が提案されている。
【特許文献１】特開２００２−２１８２５９号公報
【発明の開示】
【発明が解決しようとする課題】
【０００８】
ところで、近年、上述の色変換回路を備えた液晶装置やカラー印刷装置では、さまざまな用途で使用するために、動作速度の向上および回路規模の削減が要求されている。しかしながら、上述の方法では、目的色データＤｏｕｔ（Ｒ，Ｇ，Ｂ，Ｃ）のＬＵＴの数を削減できるものの、色データの変換速度の向上による動作速度の向上と、記憶容量の削減による回路規模の削減と、を両立するのは困難であった。
【０００９】
本発明は、色データの変換速度を向上しつつ、記憶容量を削減できる色変換回路、画像処理回路、および、電気光学装置を提供することを目的とする。
【課題を解決するための手段】
【００１０】
本発明の色変換回路は、３種類の第１色データからなる被変換色データを、当該被変換色データとは種類が異なり、第２色データからなる目的色データに変換する色変換回路であって、前記３種類の色からなる色空間を想定し、当該色空間を８つの立方体に分割して、当該８つの立方体の中から前記被変換色データが属する特定立方体を判定し、前記特定立方体を構成する８つの頂点の前記被変換色データに対応する頂点色データを出力する３次元変換テーブルと、前記被変換色データのうち、３種類の被変換色データの各々における下位ビットに基づいて、モード信号および係数信号を出力するモード判定部と、前記３次元変換テーブルから出力された前記頂点色データと前記モード判定部から出力された前記モード信号が入力され、前記モード信号に基づいて、前記特定立方体を構成する８つの頂点のうち４つを頂点とする６つの四面体の中から前記被変換色データが属する特定四面体を判定し、当該特定四面体を構成する４つの頂点のうち、前記頂点色データを除いた２つの頂点に対応する色データを出力するデータセレクタ部と、前記頂点色データ、前記頂点色データを除いた２つの頂点に対応する色データ、および前記係数信号を用いて補間演算を行い、前記被変換色データを前記目的色データに変換する積和演算部と、を備えることを特徴とする。
【００１１】
この発明によれば、３種類の被変換色データの各々における下位ビットを用いて、色空間を構成する８つの立方体の中から被変換画像データが属する立方体を選択し、特定立方体を構成する８つの頂点の被変換色データに対応する頂点色データを出力する。すなわち、８つの立方体を構成する２７個の頂点の色データを記憶するだけでよいので、記憶容量を削減できる。また、簡易な演算で、被変換色データが属する特定立方体の頂点色データを出力できるので、色データの変換速度を向上できる。
【００１２】
本発明の色変換回路では、前記３次元変換テーブルは、入力されるアドレス信号に基づいて、イネーブル信号を生成して出力するデコーダ部と、前記立方体を構成し、前記イネーブル信号に基づいて、前記８つの立方体を構成する２７個の頂点の第１色データからなる第１頂点色データに対応する第２色データからなる第２頂点色データを記憶するメモリブロック部と、前記被変換色データの各成分の上位ビットに基づいて前記被変換色データが属する特定立方体を判定する選択ブロック部と、を有することが好ましい。
【００１３】
この発明によれば、３次元変換テーブルは、８つの立方体を構成する２７個の頂点の第１色データからなる第１頂点色データに対応する第２色データからなる第２頂点色データを記憶する。すなわち、８つの立方体を構成する２７個の頂点の色データを記憶するだけでよいので、記憶容量を削減できる。
【００１４】
本発明の色変換回路は、３種類の第１色データからなる被変換色データを、当該被変換色データとは種類が異なり、第２色データからなる目的色データに変換する色変換回路であって、前記３種類の色からなる色空間を想定し、当該色空間を８つの立方体に分割して、当該８つの立方体を構成する２７個の頂点に対応する頂点色データを出力する３次元変換テーブルと、前記被変換色データのうち、３種類の被変換色データの各々における下位ビットに基づいて、モード信号および係数信号を出力するモード判定部と、前記３次元テーブルから出力された前記頂点色データと前記モード判定部から出力された前記モード信号が入力され、前記８つの立方体の中から前記被変換色データが属する特定立方体を判定し、前記モード信号に基づいて、前記特定立方体を構成する８つの頂点のうち４つを頂点とする６つの四面体の中から前記被変換色データが属する特定四面体を判定し、当該特定四面体を構成する４つの頂点に対応する色データを出力するデータセレクタ部と、前記４つの頂点に対応する色データおよび前記係数信号を用いて補間演算を行い、前記被変換色データを前記目的色データに変換する積和演算部と、を備えることを特徴とする。
この発明によれば、上述した効果と同様の効果がある。
【００１５】
本発明の色変換回路では、前記３次元変換テーブルは、入力されるアドレス信号に基づいて、イネーブル信号を生成して出力するデコーダ部と、前記立方体を構成し前記イネーブル信号に基づいて、前記８つの立方体を構成する２７個の頂点の第１色データからなる第１頂点色データに対応する第２色データからなる第２頂点色データを記憶するメモリブロック部と、を有することが好ましい。
この発明によれば、上述した効果と同様の効果がある。
【００１６】
本発明の画像処理回路は、ガンマ変換が行われた３種類のデータからなる色データが入力されるとともに当該色データを線形な被変換色データに戻す逆ガンマ変換を行って出力する逆ガンマ変換回路と、前記逆ガンマ変換回路の被変換色データが入力されるとともに請求項１乃至４に記載の前記目的色データに変換して出力する色変換回路と、前記色変換回路から出力された前記目的色データを電気光学装置の特性に基づいてガンマ変換を行うガンマ変換回路と、を有することを特徴とする。
【００１７】
この発明によれば、被変換色データを目的色データに変換する色変換回路と、この目的色データを電気光学装置の特性に基づいてガンマ変換を行うガンマ変換回路と、を個別に設けた。このため、ガンマ変換回路で目的色データに演算を行ってガンマ変換を行うので、色変換回路は、ガンマ変換に用いるガンマ変換テーブルを備える必要がなく、記憶容量を削減できる。
【００１８】
本発明の電気光学装置は、上述の画像処理回路を備えたことを特徴とする。
この発明によれば、上述した効果と同様の効果がある。
【発明を実施するための最良の形態】
【００１９】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の第１実施形態に係る画像処理部１の構成を示すブロック図である。
画像処理部１は、逆ガンマ変換回路５０と、色変換回路６０と、ガンマ変換回路７０と、で構成されている。
【００２０】
逆ガンマ変換回路５０には、赤（Ｒ），緑（Ｇ），青（Ｂ）の３種類の色データからなる色データＤ０（Ｒ，Ｇ，Ｂ）が入力される。この色データＤ０（Ｒ，Ｇ，Ｂ）は、リニアな被変換色データＤ１（Ｒ，Ｇ，Ｂ）にガンマ変換が施されたものである。
この逆ガンマ変換回路５０は、入力された色データＤ０（Ｒ，Ｇ，Ｂ）に、この入力された色データＤ０（Ｒ，Ｇ，Ｂ）をリニアな被変換色データＤ１（Ｒ，Ｇ，Ｂ）に戻す逆ガンマ変換を行って、色変換回路６０に出力する。
【００２１】
なお、この逆ガンマ変換回路５０は、上述の逆ガンマ変換を行うとともに、多ビット化を行い、逆ガンマ変換によるデータ損失を防ぐ。具体的には、逆ガンマ変換回路５０は、入力されたＲＧＢ各８ビットの色データＤ０（Ｒ，Ｇ，Ｂ）を、ＲＧＢ各１０ビットの被変換色データＤ１（Ｒ，Ｇ，Ｂ）に変換して、色変換回路６０に出力する。
【００２２】
色変換回路６０は、赤（Ｒ），緑（Ｇ），青（Ｂ）の３種類の色データからなりかつＲＧＢ各１０ビットである被変換色データＤ１（Ｒ，Ｇ，Ｂ）を、赤（Ｒ），緑（Ｇ），青（Ｂ），シアン（Ｃ）の４種類の色データからなりかつＲＧＢＣ各１０ビットである目的色データＤ２（Ｒ，Ｇ，Ｂ，Ｃ）に変換して、ガンマ変換回路７０に出力する。
【００２３】
ガンマ変換回路７０は、入力された目的色データＤ２（Ｒ，Ｇ，Ｂ，Ｃ）を、この画像処理部１を含んで構成される機器の特性に基づいてガンマ変換を行って、出力する。具体的には、ガンマ変換回路７０は、入力されたＲＧＢＣ各１０ビットの目的色データＤ２（Ｒ，Ｇ，Ｂ，Ｃ）を、ＲＧＢＣ各８ビットの色データＤ３（Ｒ，Ｇ，Ｂ，Ｃ）に変換して、出力する。また、この画像処理部１を含んで構成される機器としては、液晶装置や、カラー印刷装置等がある。
【００２４】
図２は、色変換回路６０の構成を示すブロック図である。
色変換回路６０は、３次元ＬＵＴ部６１と、データセレクタ部６２と、モード判定・係数演算部６３と、積和演算部６４と、で構成されている。
【００２５】
図３は、３次元ＬＵＴ部６１の構成を示すブロック図である。
３次元ＬＵＴ部６１は、デコーダブロック６１１と、メモリブロック６１２と、選択ブロック６１３と、で構成されている。この３次元ＬＵＴ部６１は、ＲＧＢの３種類の色からなるＲＧＢ色空間を想定し、このＲＧＢ色空間を８つの立方体に分割して、これら８つの立方体の中から被変換色データＤ１（Ｒ，Ｇ，Ｂ）が属する特定立方体を判定する。また、この３次元ＬＵＴ部６１は、特定立方体を構成する８つの頂点のＲＧＢデータに対応するＲＧＢＣデータを、データセレクタ部６２および積和演算部６４に出力する。
【００２６】
デコーダブロック６１１は、入力されるアドレス信号ＲＥＧ＿ＡＤＲ［４：０］に基づいて、イネーブル信号ＥＮ［２６：０］を生成して、メモリブロック６１２に出力する。具体的には、デコーダブロック６１１は、５ビットのアドレス信号ＲＥＧ＿ＡＤＲ［４：０］をデコードし、デコード結果に基づいて、２７ビットのイネーブル信号ＥＮ［２６：０］のいずれか１ビットの電圧レベルをＨレベルとし、他の２６ビットの電圧レベルをＬレベルとする。
【００２７】
メモリブロック６１２は、ＲＧＢの３種類の色からなるＲＧＢ色空間を想定し、このＲＧＢ色空間を８つの立方体に分割して、これら立方体の頂点のデータである第１頂点色データＤＴｎ（Ｒ，Ｇ，Ｂ）（ｎは、０≦ｎ≦２６を満たす整数）に対応する第２頂点色データＤＴ’ｎ（Ｒ，Ｇ，Ｂ，Ｃ）（ｎは、０≦ｎ≦２６を満たす整数）を出力する。
【００２８】
図４は、ＲＧＢ色空間を８つの立方体に分割した図である。
８つの立方体は、頂点０から頂点２６までの２７個の頂点を有し、これら２７個の頂点は、ＲＧＢ各１０ビットの第１頂点色データＤＴ０（Ｒ，Ｇ，Ｂ）〜ＤＴ２６（Ｒ，Ｇ，Ｂ）に対応する。また、これら２７個の頂点には、第１頂点色データＤＴ０（Ｒ，Ｇ，Ｂ）〜ＤＴ２６（Ｒ，Ｇ，Ｂ）に対応するＲＧＢＣ各９ビットの第２頂点色データＤＴ’０（Ｒ，Ｇ，Ｂ，Ｃ）〜ＤＴ’２６（Ｒ，Ｇ，Ｂ，Ｃ）が割り当てられている。
【００２９】
なお、本実施形態では、８つの立方体は、互いに同一の大きさであり、第１頂点色データＤＴ０（Ｒ，Ｇ，Ｂ）〜ＤＴ２６（Ｒ，Ｇ，Ｂ）のＲＧＢ各１０ビットのデータは、“0000000000”，“0111111111”，“1111111111”のいずれかとなっている。
例えば、図４における頂点０の第１頂点色データＤＴ０（Ｒ，Ｇ，Ｂ）のＲＧＢ各１０ビットのデータは、（Ｒ，Ｇ，Ｂ）＝（0000000000，0000000000，0000000000）である。また、頂点２の第１頂点色データＤＴ２（Ｒ，Ｇ，Ｂ）のＲＧＢ各１０ビットのデータは、（Ｒ，Ｇ，Ｂ）＝（0000000000，0000000000，1111111111）である。このため、頂点０および頂点２の中点である頂点１の第１頂点色データＤＴ１（Ｒ，Ｇ，Ｂ）のＲＧＢ各１０ビットのデータは、（Ｒ，Ｇ，Ｂ）＝（0000000000，0000000000，0111111111）である。
【００３０】
図５は、メモリブロック６１２の構成を示すブロック図である。
メモリブロック６１２には、書き込み許可信号ＲＥＧ＿ＷＲ、イネーブル信号ＥＮ［２６：０］、および、上述の第２頂点色データＤＴ’０（Ｒ，Ｇ，Ｂ，Ｃ）〜ＤＴ’２６（Ｒ，Ｇ，Ｂ，Ｃ）が入力される。
このメモリブロック６１２は、イネーブル信号ＥＮ［２６：０］に対応する２７個の記憶領域ＤＴ＿ＲＡＭ０〜ＤＴ＿ＲＡＭ２６を備えており、書き込み許可信号ＲＥＧ＿ＷＲおよびイネーブル信号ＥＮ［２６：０］に基づいて記憶領域ＤＴ＿ＲＡＭ０〜ＤＴ＿ＲＡＭ２６のうちのいずれかを選択し、この選択した記憶領域ＤＴ＿ＲＡＭｎ（ｎは、０≦ｎ≦２６を満たす整数）に、上述の第２頂点色データＤＴ’ｎ（Ｒ，Ｇ，Ｂ，Ｃ）を記憶する。
そして、このメモリブロック６１２は、記憶した第２頂点色データＤＴ’ｎ（Ｒ，Ｇ，Ｂ，Ｃ）を、ＬＵＴ＿ｎ（ｎは、０≦ｎ≦２６を満たす整数）として、選択ブロック６１３に出力する。
【００３１】
具体的には、メモリブロック６１２は、書き込み許可信号ＲＥＧ＿ＷＲがＨレベルの状態で、Ｈレベルのイネーブル信号ＥＮｎ（ｎは、０≦ｎ≦２６を満たす整数）が入力されると、このイネーブル信号ＥＮｎに対応する記憶領域ＤＴ＿ＲＡＭｎに、ＲＧＢＣ各９ビットの第２頂点色データＤＴ’ｎ（Ｒ，Ｇ，Ｂ，Ｃ）を記憶する。そして、この第２頂点色データＤＴ’ｎ（Ｒ，Ｇ，Ｂ，Ｃ）を、ＬＵＴ＿ｎとして選択ブロック６１３に出力する。
例えば、書き込み許可信号ＲＥＧ＿ＷＲがＨレベルで、かつ、イネーブル信号ＥＮ０がＨレベルであれば、メモリブロック６１２は、記憶領域ＤＴ＿ＲＡＭ０に第２頂点色データＤＴ’０（Ｒ，Ｇ，Ｂ，Ｃ）を記憶する。そして、この第２頂点色データＤＴ’０（Ｒ，Ｇ，Ｂ，Ｃ）を、ＬＵＴ＿０として選択ブロック６１３に出力する。
【００３２】
図３に戻って、選択ブロック６１３は、ＲＧＢ色空間を構成する８つの立方体の中から、被変換色データＤ１（Ｒ，Ｇ，Ｂ）が属する特定立方体を判定して、特定立方体を構成する８つの頂点のＲＧＢデータに対応するＲＧＢＣデータを、データセレクタ部６２および積和演算部６４に出力する。
【００３３】
すなわち、選択ブロック６１３は、被変換色データＤ１（Ｒ，Ｇ，Ｂ）のうちＲ成分、Ｇ成分、Ｂ成分の各上位１ビットに基づいて、被変換色データＤ１（Ｒ，Ｇ，Ｂ）が属する特定立方体を判定する。
例えば、Ｂ成分方向に関しては、被変換色データＤ１（Ｒ，Ｇ，Ｂ）のうちＢ成分の上位１ビットにより、被変換色データＤ１（Ｒ，Ｇ，Ｂ）は、Ｂ成分方向の中点より大きい位置に属するか、あるいは小さい位置に属するかを判定する。
具体的には、被変換色データＤ１（Ｒ，Ｇ，Ｂ）のＲＧＢ各１０ビットのデータが（Ｒ，Ｇ，Ｂ）＝（0000000000，0000000000，0000000000）〜（0000000000，0000000000，0111111111）の場合、被変換色データＤ１（Ｒ，Ｇ，Ｂ）は、頂点０から頂点１（図４参照）の間に属する。一方、被変換色データＤ１（Ｒ，Ｇ，Ｂ）のＲＧＢ各１０ビットのデータが（Ｒ，Ｇ，Ｂ）＝（0000000000，0000000000，0111111111）〜（0000000000，0000000000，1111111111）の場合、被変換色データＤ１（Ｒ，Ｇ，Ｂ）は、頂点１から頂点２（図４参照）の間に属する。
【００３４】
Ｒ成分方向、Ｇ成分方向についてもＢ成分方向と同様に、被変換色データＤ１（Ｒ，Ｇ，Ｂ）のうちＲ成分、Ｇ成分の各上位１ビットにより、被変換色データＤ１（Ｒ，Ｇ，Ｂ）は、それぞれ、Ｒ成分方向、Ｇ成分方向の中点より大きい位置に属するか、あるいは小さい位置に属するかを判定する。
【００３５】
図６は、特定立方体を示す図である。
特定立方体は、頂点Ｐ０からＰ７までの８個の頂点を有する。
例えば、被変換色データＤ１（Ｒ，Ｇ，Ｂ）のうちＲ成分、Ｇ成分、Ｂ成分の各上位１ビットが（０，０，０）であれば、この被変換色データＤ１（Ｒ，Ｇ，Ｂ）が属する特定立方体の頂点Ｐ０〜頂点Ｐ７は、図４における頂点０，１，３，４，９，１０，１２，１３となる。
また、被変換色データＤ１（Ｒ，Ｇ，Ｂ）のうちＲ成分、Ｇ成分、Ｂ成分の各上位１ビットが（１，１，１）であれば、この被変換色データＤ１（Ｒ，Ｇ，Ｂ）が属する特定立方体の頂点Ｐ０〜頂点Ｐ７は、図４における頂点１３，１４，１６，１７，２２，２３，２５，２６となる。
【００３６】
図７は、選択ブロック６１３の構成を示すブロック図である。
選択ブロック６１３には、被変換色データＤ１（Ｒ，Ｇ，Ｂ）のうちＲ成分の上位１ビット（以下、ｕＲと表記する）、Ｇ成分の上位１ビット（以下、ｕＧと表記する）、およびＢ成分の上位１ビット（以下、ｕＢと表記する）が入力される。また、選択ブロック６１３には、ＬＵＴ＿０〜ＬＵＴ＿２６が入力される。
この選択ブロック６１３は、上述の頂点Ｐ０〜Ｐ７に対応する８個のマルチプレクサＭＰＸ＿０〜ＭＰＸ＿７を備えており、ｕＲ，ｕＧ，ｕＢに基づいて、Ｐ０〜Ｐ７の第１頂色点データに対応する第２頂点色データを、マルチプレクサＭＰＸ＿０〜ＭＰＸ＿７からＤ（Ｐ０）〜Ｄ（Ｐ７）として出力する。
【００３７】
マルチプレクサＭＰＸ＿０には、ｕＲ，ｕＧ，ｕＢと、第２頂点色データＬＵＴ＿０，ＬＵＴ＿１，ＬＵＴ＿３，ＬＵＴ＿４，ＬＵＴ＿９，ＬＵＴ＿１０，ＬＵＴ＿１２，ＬＵＴ＿１３と、が入力される。
これらＬＵＴ＿０，ＬＵＴ＿１，ＬＵＴ＿３，ＬＵＴ＿４，ＬＵＴ＿９，ＬＵＴ＿１０，ＬＵＴ＿１２，ＬＵＴ＿１３は、図４における頂点０，１，３，４，９，１０，１２，１３に対応する第２頂点色データである。図４におけるこれら８つの頂点は、特定立方体の頂点Ｐ０になりうるものである。
【００３８】
このマルチプレクサＭＰＸ＿０は、ｕＲ，ｕＧ，ｕＢに基づいて、上述の８つの第２頂点色データの中から特定立方体の頂点Ｐ０に対応するものを選択して、Ｄ（Ｐ０）として出力する。
【００３９】
マルチプレクサＭＰＸ＿１には、ｕＲ，ｕＧ，ｕＢと、図４における頂点０〜２６のうち特定立方体の頂点Ｐ１になりうるものに対応する第２頂点色データＬＵＴ＿１，ＬＵＴ＿２，ＬＵＴ＿４，ＬＵＴ＿５，ＬＵＴ＿１０，ＬＵＴ＿１１，ＬＵＴ＿１３，ＬＵＴ＿１４と、が入力される。
このマルチプレクサＭＰＸ＿１は、ｕＲ，ｕＧ，ｕＢに基づいて、上述の８つの第２頂点色データの中から特定立方体の頂点Ｐ１に対応するものを選択して、Ｄ（Ｐ１）として出力する。
【００４０】
マルチプレクサＭＰＸ＿２には、ｕＲ，ｕＧ，ｕＢと、図４における頂点０〜２６のうち特定立方体の頂点Ｐ２になりうるものに対応する第２頂点色データＬＵＴ＿３，ＬＵＴ＿４，ＬＵＴ＿６，ＬＵＴ＿７，ＬＵＴ＿１２，ＬＵＴ＿１３，ＬＵＴ＿１５，ＬＵＴ＿１６と、が入力される。
このマルチプレクサＭＰＸ＿２は、ｕＲ，ｕＧ，ｕＢに基づいて、上述の８つの第２頂点色データの中から特定立方体の頂点Ｐ２に対応するものを選択して、Ｄ（Ｐ２）として出力する。
【００４１】
マルチプレクサＭＰＸ＿３には、ｕＲ，ｕＧ，ｕＢと、図４における頂点０〜２６のうち特定立方体の頂点Ｐ３になりうるものに対応する第２頂点色データＬＵＴ＿４，ＬＵＴ＿５，ＬＵＴ＿７，ＬＵＴ＿８，ＬＵＴ＿１３，ＬＵＴ＿１４，ＬＵＴ＿１６，ＬＵＴ＿１７と、が入力される。
このマルチプレクサＭＰＸ＿３は、ｕＲ，ｕＧ，ｕＢに基づいて、上述の８つの第２頂点色データの中から特定立方体の頂点Ｐ３に対応するものを選択して、Ｄ（Ｐ３）として出力する。
【００４２】
マルチプレクサＭＰＸ＿４には、ｕＲ，ｕＧ，ｕＢと、図４における頂点０〜２６のうち特定立方体の頂点Ｐ４になりうるものに対応する第２頂点色データＬＵＴ＿９，ＬＵＴ＿１０，ＬＵＴ＿１２，ＬＵＴ＿１３，ＬＵＴ＿１８，ＬＵＴ＿１９，ＬＵＴ＿２１，ＬＵＴ＿２２と、が入力される。
このマルチプレクサＭＰＸ＿４は、ｕＲ，ｕＧ，ｕＢに基づいて、上述の８つの第２頂点色データの中から特定立方体の頂点Ｐ４に対応するものを選択して、Ｄ（Ｐ４）として出力する。
【００４３】
マルチプレクサＭＰＸ＿５には、ｕＲ，ｕＧ，ｕＢと、図４における頂点０〜２６のうち特定立方体の頂点Ｐ５になりうるものに対応する第２頂点色データＬＵＴ＿１０，ＬＵＴ＿１１，ＬＵＴ＿１３，ＬＵＴ＿１４，ＬＵＴ＿１９，ＬＵＴ＿２０，ＬＵＴ＿２２，ＬＵＴ＿２３と、が入力される。
このマルチプレクサＭＰＸ＿５は、ｕＲ，ｕＧ，ｕＢに基づいて、上述の８つの第２頂点色データの中から特定立方体の頂点Ｐ５に対応するものを選択して、Ｄ（Ｐ５）として出力する。
【００４４】
マルチプレクサＭＰＸ＿６には、ｕＲ，ｕＧ，ｕＢと、図４における頂点０〜２６のうち特定立方体の頂点Ｐ６になりうるものに対応する第２頂点色データＬＵＴ＿１２，ＬＵＴ＿１３，ＬＵＴ＿１５，ＬＵＴ＿１６，ＬＵＴ＿２１，ＬＵＴ＿２２，ＬＵＴ＿２４，ＬＵＴ＿２５と、が入力される。
このマルチプレクサＭＰＸ＿６は、ｕＲ，ｕＧ，ｕＢに基づいて、上述の８つの第２頂点色データの中から特定立方体の頂点Ｐ６に対応するものを選択して、Ｄ（Ｐ６）として出力する。
【００４５】
マルチプレクサＭＰＸ＿７には、ｕＲ，ｕＧ，ｕＢと、図４における頂点０〜２６のうち特定立方体の頂点Ｐ７になりうるものに対応する第２頂点色データＬＵＴ＿１３，ＬＵＴ＿１４，ＬＵＴ＿１６，ＬＵＴ＿１７，ＬＵＴ＿２２，ＬＵＴ＿２３，ＬＵＴ＿２５，ＬＵＴ＿２６と、が入力される。
このマルチプレクサＭＰＸ＿７は、ｕＲ，ｕＧ，ｕＢに基づいて、上述の８つの第２頂点色データの中から特定立方体の頂点Ｐ７に対応するものを選択して、Ｄ（Ｐ７）として出力する。
【００４６】
図２に戻って、データセレクタ部６２には、上述の第２頂点色データＤ（Ｐ１）〜Ｄ（Ｐ６）と、後述するモード信号modeと、が入力される。
このデータセレクタ部６２は、モード信号modeに基づいて、特定立方体を構成する８つの頂点のうち４つを頂点とする６つの四面体の中から被変換色データＤ１（Ｒ，Ｇ，Ｂ）が属する特定四面体を判定して、この特定四面体を構成する４つの頂点のうち、頂点Ｐ０およびＰ７を除いた残る２つの頂点に対応する第２頂点色データを、ＤＡおよびＤＢとして積和演算部６４に出力する。
【００４７】
図８（１）〜（６）は、図４の特定立方体を構成する特定四面体を示す図である。
図８（１）の特定四面体は、頂点Ｐ０，Ｐ１，Ｐ３，Ｐ７で構成される四面体である。図８（２）の特定四面体は、頂点Ｐ０，Ｐ２，Ｐ３，Ｐ７で構成される四面体である。図８（３）の特定四面体は、頂点Ｐ０，Ｐ１，Ｐ５，Ｐ７で構成される四面体である。図８（４）の特定四面体は、頂点Ｐ０，Ｐ２，Ｐ６，Ｐ７で構成される四面体である。図８（５）の特定四面体は、頂点Ｐ０，Ｐ４，Ｐ５，Ｐ７で構成される四面体である。図８（６）の特定四面体は、頂点Ｐ０，Ｐ４，Ｐ６，Ｐ７で構成される四面体である。
【００４８】
データセレクタ部６２が、特定四面体を構成する４つの頂点のうち、頂点Ｐ０，Ｐ７に対応する第２頂点色データを出力しない理由は、以下の通りである。
すなわち、図８（１）〜（６）の全ての特定四面体は、頂点Ｐ０，Ｐ７含んでいる。このため、３次元ＬＵＴ部６１から出力される第２頂点色データＤ（Ｐ０）〜Ｄ（Ｐ７）のうち頂点Ｐ０，Ｐ７に対応する第２頂点色データＤ（Ｐ０）およびＤ（Ｐ７）は、データセレクタ部６２を介さず、直接、積和演算部６４に入力される。
【００４９】
以上のデータセレクタ部６２は、モード信号modeが“１”である場合には、図８（１）における頂点Ｐ０，Ｐ１，Ｐ３，Ｐ７で構成される四面体を、特定四面体と判定する。そして、この特定四面体を構成する４つの頂点Ｐ０，Ｐ１，Ｐ３，Ｐ７の中から、頂点Ｐ１，Ｐ３に対応する第２頂点色データＤ（Ｐ１）およびＤ（Ｐ３）を、ＤＢおよびＤＡとして出力する。
モード信号modeが“２”である場合には、図８（２）における頂点Ｐ０，Ｐ２，Ｐ３，Ｐ７で構成される四面体を、特定四面体と判定する。そして、この特定四面体を構成する４つの頂点Ｐ０，Ｐ２，Ｐ３，Ｐ７の中から、頂点Ｐ２，Ｐ３に対応する第２頂点色データＤ（Ｐ２）およびＤ（Ｐ３）を、ＤＡおよびＤＢとして出力する。
モード信号modeが“３”である場合には、図８（３）における頂点Ｐ０，Ｐ１，Ｐ５，Ｐ７で構成される四面体を、特定四面体と判定する。そして、この特定四面体を構成する４つの頂点Ｐ０，Ｐ１，Ｐ５，Ｐ７の中から、頂点Ｐ１，Ｐ５に対応する第２頂点色データＤ（Ｐ１）およびＤ（Ｐ５）を、ＤＡおよびＤＢとして出力する。
モード信号modeが“４”である場合には、図８（４）における頂点Ｐ０，Ｐ２，Ｐ６，Ｐ７で構成される四面体を、特定四面体と判定する。そして、この特定四面体を構成する４つの頂点Ｐ０，Ｐ２，Ｐ６，Ｐ７の中から、頂点Ｐ２，Ｐ６に対応する第２頂点色データＤ（Ｐ２）およびＤ（Ｐ６）を、ＤＢおよびＤＡとして出力する。
モード信号modeが“５”である場合には、図８（５）における頂点Ｐ０，Ｐ４，Ｐ５，Ｐ７で構成される四面体を、特定四面体と判定する。そして、この特定四面体を構成する４つの頂点Ｐ０，Ｐ４，Ｐ５，Ｐ７の中から、頂点Ｐ４，Ｐ５に対応する第２頂点色データＤ（Ｐ４）およびＤ（Ｐ５）を、ＤＢおよびＤＡとして出力する。
モード信号modeが“６”である場合には、図８（６）における頂点Ｐ０，Ｐ４，Ｐ６，Ｐ７で構成される四面体を、特定四面体と判定する。そして、この特定四面体を構成する４つの頂点Ｐ０，Ｐ４，Ｐ６，Ｐ７の中から、頂点Ｐ４，Ｐ６に対応する第２頂点色データＤ（Ｐ４）およびＤ（Ｐ６）を、ＤＡおよびＤＢとして出力する。
【００５０】
図２に戻って、モード判定・係数演算部６３には、被変換色データＤ１（Ｒ，Ｇ，Ｂ）のうち、Ｒ成分の下位９ビット（以下、ｒと表記する）と、Ｇ成分の下位９ビット（以下、ｇと表記する）と、Ｂ成分の下位９ビット（以下、ｂと表記する）と、が入力される。
このモード判定・係数演算部６３は、ｒ，ｇ，ｂに基づいて、上述のモード信号modeを決定してデータセレクタ部６２に出力するとともに、係数信号ｂ０，ｂ１，ｂ２，ｂ３を算出して積和演算部６４に出力する。
【００５１】
具体的には、モード判定・係数演算部６３は、以下のテーブルにしたがって、モード信号modeを決定するとともに、係数信号ｂ０，ｂ１，ｂ２，ｂ３を算出する。
【表１】
2007134854.tif 000003
【００５２】
すなわち、モード判定・係数演算部６３は、ｒ＜ｇ＜ｂである場合には、モード信号modeを“１”とし、係数信号ｂ０〜ｂ３を“５１２−ｂ”，“ｇ−ｒ”，“ｂ−ｇ”，“ｒ”とする。
ｒ＜ｂ≦ｇである場合には、モード信号modeを“２”とし、係数信号ｂ０〜ｂ３を“５１２−ｇ”，“ｇ−ｂ”，“ｂ−ｒ”，“ｒ”とする。
ｇ≦ｒ＜ｂである場合には、モード信号modeを“３”とし、係数信号ｂ０〜ｂ３を“５１２−ｂ”，“ｂ−ｒ”，“ｒ−ｇ”，“ｇ”とする。
ｂ≦ｒ＜ｇである場合には、モード信号modeを“４”とし、係数信号ｂ０〜ｂ３を“５１２−ｇ”，“ｒ−ｂ”，“ｇ−ｒ”，“ｂ”とする。
ｇ＜ｂ≦ｒである場合には、モード信号modeを“５”とし、係数信号ｂ０〜ｂ３を“５１２−ｒ”，“ｂ−ｇ”，“ｒ−ｂ”，“ｇ”とする。
ｂ≦ｇ≦ｒである場合には、モード信号modeを“６”とし、係数信号ｂ０〜ｂ３を“５１２−ｒ”，“ｒ−ｇ”，“ｇ−ｂ”，“ｂ”とする。
【００５３】
積和演算部６４は、３次元ＬＵＴ部６１が出力する第２頂点色データＤ（Ｐ０），Ｄ（Ｐ７）と、データセレクタ部６２が出力する第２頂点色データＤＡ，ＤＢと、モード判定・係数演算部６３が出力する係数信号ｂ０〜ｂ３と、が入力され、以下の式にしたがってＤ２（Ｒ，Ｇ，Ｂ，Ｃ）を出力する。
【００５４】
【数１】
2007134854.tif 000004
【００５５】
すなわち、積和演算部６４は、被変換色データＤ１（Ｒ，Ｇ，Ｂ）が属する特定四面体を構成する４つの頂点に対応する第２頂点色データＤ（Ｐ０），Ｄ（Ｐ７），ＤＡ，ＤＢと、被変換色データＤ１（Ｒ，Ｇ，Ｂ）により決定される係数信号ｂ０〜ｂ３と、を用いて補間演算を行って、被変換色データＤ１（Ｒ，Ｇ，Ｂ）を目的色データＤ２（Ｒ，Ｇ，Ｂ，Ｃ）に変換して、ガンマ変換回路７０に出力する。
ガンマ変換回路７０は、３２点の１次元ＬＵＴを内蔵し、上位５ビットでＬＵＴを選択し、さらに補間演算をする構成である。
これは、３次元ＬＵＴ部のＬＵＴのデータ数が少ないことを補うことができ、その結果として表示装置の特性に合わせて、出力デバイスの輝度のガンマ特性を調整することができる。
【００５６】
本実施形態によれば、以下のような効果がある。
ＲＧＢデータとＲＧＢＣデータとの対応に関しては、８つの立方体を構成する２７個の頂点の第１頂点色データに対応するＲＧＢＣ各９ビットの第２頂点色データを記憶するだけでよい。したがって、メモリブロック６１２は、９７２ビット（＝３６ビット×２７）の記憶容量を備えればよいので、記憶容量を削減できる。また、簡易な演算で、被変換色データが属する特定立方体の頂点色データを出力できるので、色データの変換速度を向上できる。
また、被変換色データを目的色データに変換する色変換回路６０と、この目的色データを電気光学装置の特性に基づいてガンマ変換を行うガンマ変換回路７０と、を個別に設けた。このため、ガンマ変換回路７０で目的色データに演算を行ってガンマ変換を行うので、色変換回路６０は、ガンマ変換に用いるガンマ変換テーブルを備える必要がなく、記憶容量を削減できる。
【００５７】
＜第２実施形態＞
図９は、本発明の第２実施形態に係る色変換回路６０Ａの構成を示すブロック図である。色変換回路６０Ａは、３次元ＬＵＴ部６１Ａおよびデータセレクタ部６２Ａの構成が、図２の色変換回路６０と異なる。
【００５８】
図１０は、３次元ＬＵＴ部６１Ａの構成を示すブロック図である。
３次元ＬＵＴ部６１Ａは、図３の３次元ＬＵＴ部６１と比べて、選択ブロック６１３がない。すなわち、３次元ＬＵＴ部６１Ａは、メモリブロック６１２に記憶した第２頂点色データＤＴ’０（Ｒ，Ｇ，Ｂ，Ｃ）〜ＤＴ’２６（Ｒ，Ｇ，Ｂ，Ｃ）を、それぞれＬＵＴ＿０〜ＬＵＴ＿２６として、データセレクタ部６２Ａに出力する。
【００５９】
図９に戻って、データセレクタ部６２Ａには、第２頂点色データＬＵＴ＿０〜ＬＵＴ＿２６と、モード信号modeと、さらにｕＲ，ｕＧ，ｕＢと、が入力される。
このデータセレクタ部６２Ａは、まず、ｕＲ，ｕＧ，ｕＢに基づいて、８つの立方体の中から被変換色データＤ１（Ｒ，Ｇ，Ｂ）が属する特定立方体を判定する。次に、モード信号modeに基づいて、特定立方体を構成する８つの頂点のうち４つを頂点とする６つの四面体の中から、被変換色データＤ１（Ｒ，Ｇ，Ｂ）が属する特定四面体を判定する。そして、特定四面体を構成する４つの頂点に対応する第２頂点色データを、Ｄ（Ｐ０），Ｄ（Ｐ７），ＤＡ，ＤＢとして積和演算部６４に出力する。
【００６０】
本実施形態によれば、上述した効果と同様の効果がある。
【００６１】
＜変形例＞
なお、本発明は前記実施形態に限定されるものではなく、本発明の目的を達成できる範囲での変形、改良等は本発明に含まれるものである。
例えば、本実施形態では、画像処理部１は、ＲＧＢの３種類の色データからなる被変換色データを、ＲＧＢＣの４種類の色データからなる目的色データに変換したが、これに限らない。例えば、被変換色データは、ＣＭＹの３種類の色データや、ＣＭＹＫの４種類の色データからなるものであってもよい。また、目的色データは、ＲＧＢＣＭＹの６種類の色データからなるものであってもよい。
【００６２】
また、例えば、先に説明した、赤（Ｒ），緑（Ｇ），青（Ｂ），シアン（Ｃ）を、それぞれ、以下に説明するような赤系の色相の着色領域（Ｒ）、青系の色相の着色領域（Ｂ）、および青から黄までの色相の中で選択された２種類の色相の着色領域（ＧおよびＣ）に適用してもよい。
４色の着色領域は、波長に応じて色相が変化する可視光領域（３８０〜７８０ｎｍ）のうち、青系の色相の着色領域、赤系の色相の着色領域、および、青から黄までの色相の中で選択された２種類の色相の着色領域からなる。
ここで、系と用いているが、例えば、青系であれば、純粋の青な色相に限定されるものではなく、青紫や青緑等を含むものである。赤系の色相であれば、赤に限定されるものではなく、橙を含む。また、これら着色領域は、単一の着色層で構成されてもよいし、複数の異なる色相の着色層を重ねて構成されてもよい。また、これら着色領域は、色相で述べているが、当該色相は、彩度、明度を適宜変更し、色を設定し得るものである。
【００６３】
具体的な色相の範囲は、青系の色相の着色領域は、青紫から青緑であり、より好ましくは藍から青である。
赤系の色相の着色領域は、橙から赤である。
青から黄までの色相で選択される一方の着色領域は、青から緑であり、より好ましくは青緑から緑である。
青から黄までの色相で選択される他方の着色領域は、緑から橙であり、より好ましくは緑から黄、もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のＲＧＢの着色領域よりも広範囲の色再現性を実現することができる。
【００６４】
広範囲の色再現性を色相で述べたが、以下に、着色領域を透過する波長で表現する。
青系の着色領域は、該領域を透過した光の波長のピークが４１５〜５００ｎｍにある着色領域で、好ましくは、４３５〜４８５ｎｍにある着色領域である。
赤系の着色領域は、該領域を透過した光の波長のピークが６００ｎｍ以上にある着色領域で、好ましくは、６０５ｎｍ以上にある着色領域である。
青から黄までの色相で選択される一方の着色領域は、該領域を透過した光の波長のピークが４８５〜５３５ｎｍにある着色領域で、好ましくは、４９５〜５２０ｎｍにある着色領域である。
青から黄までの色相で選択される他方の着色領域は、該領域を透過した光の波長のピークが５００〜５９０ｎｍにある着色領域で、好ましくは、５１０〜５８５ｎｍにある着色領域、もしくは５３０〜５６５ｎｍにある着色領域である。
【００６５】
次に、ｘｙ色度図で表現する。
青系の着色領域は、ｘ≦０．１５１、ｙ≦０．０５６にある着色領域であり、好ましくは、０．１３４≦ｘ≦０．１５１、０．０３４≦ｙ≦０．０５６にある着色領域である。
赤系の着色領域は、０．６４３≦ｘ、ｙ≦０．３３３にある着色領域であり、好ましくは、０．６４３≦ｘ≦０．６９０、０．２９９≦ｙ≦０．３３３にある着色領域である。
青から黄までの色相で選択される一方の着色領域は、ｘ≦０．１６４、０．４５３≦ｙにある着色領域であり、好ましくは、０．０９８≦ｘ≦０．１６４、０．４５３≦ｙ≦０．７５９にある着色領域である。
青から黄までの色相で選択される他方の着色領域は、０．２５７≦ｘ、０．６０６≦ｙにある着色領域であり、好ましくは、０．２５７≦ｘ≦０．３５７、０．６０６≦ｙ≦０．６７０にある着色領域である。
これら４色の着色領域は、サブ画素に透過領域と反射領域を備えた場合、透過領域および反射領域も上述した範囲で適用することができるものである。
【００６６】
上記４色の着色領域の構成の例として、以下のものが挙げられる。
色相が、赤、青、緑、シアン（青緑）の着色領域
色相が、赤、青、緑、黄の着色領域
色相が、赤、青、深緑、黄の着色領域
色相が、赤、青、エメラルド、黄の着色領域
色相が、赤、青、深緑、黄緑の着色領域
色相が、赤、青緑、深緑、黄緑の着色領域
【００６７】
＜応用例＞
次に、上述した実施形態に係る画像処理部１を適用した電子機器について説明する。
図１１は、画像処理部１を適用した携帯電話機の構成を示す斜視図である。携帯電話機３０００は、複数の操作ボタン３００１、スクロールボタン３００２、表示装置３００３、および画像処理部１を備えている。操作ボタン３００１やスクロールボタン３００２を操作することによって、画像処理部１で色変換が行われた画像が表示装置３００３に表示される。
【００６８】
なお、画像処理部１が適用される電子機器としては、図１１に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の画像処理部として、前述した画像処理部１が適用可能である。
【図面の簡単な説明】
【００６９】
【図１】本発明の第１実施形態に係る画像処理部の構成を示すブロック図である。
【図２】前記実施形態に係る色変換回路の構成を示すブロック図である。
【図３】前記実施形態に係る３次元ＬＵＴ部の構成を示すブロック図である。
【図４】ＲＧＢ色空間を８つの立方体に分割した図である。
【図５】前記実施形態に係るメモリブロックの構成を示すブロック図である。
【図６】特定立方体を示す図である。
【図７】前記実施形態に係る選択ブロックの構成を示すブロック図である。
【図８】前記特定立方体を構成する特定四面体を示す図である。
【図９】本発明の第２実施形態に係る色変換回路の構成を示すブロック図である。
【図１０】前記実施形態に係る３次元ＬＵＴ部の構成を示すブロック図である。
【図１１】上述の画像処理部を適用した携帯電話機の構成を示す斜視図である。
【符号の説明】
【００７０】
１…画像処理部（画像処理回路）、５０…逆ガンマ変換回路、６０、６０Ａ…色変換回路、６１、６１Ａ…３次元ＬＵＴ部（３次元変換テーブル）、６２…データセレクタ部、６３、６３Ａ…モード判定・係数演算部（モード判定部）、６４…積和演算部、７０…ガンマ変換回路、６１１…デコーダブロック（デコーダ部）、６１２…メモリブロック（メモリブロック部）、６１３…選択ブロック（選択ブロック部）、３０００…携帯電話機。
【図１】
2007134854.tif 000005
【図２】
2007134854.tif 000006
【図３】
2007134854.tif 000007
【図４】
2007134854.tif 000008
【図５】
2007134854.tif 000009
【図６】
2007134854.tif 000010
【図７】
2007134854.tif 000011
【図８】
2007134854.tif 000012
【図９】
2007134854.tif 000013
【図１０】
2007134854.tif 000014
【図１１】
2007134854.tif 000015